Podtech/llm-jp-corpus-v4-ja_patent huggingface dataset:
【手続補正書】
【提出日】平成24年12月14日(2012.12.14)
【手続補正１】
【補正対象書類名】明細書
【補正対象項目名】０１３９
【補正方法】変更
【補正の内容】
【０１３９】
フッ素化イオノマー微粒子を、以下の手順により変性させる。１８５０ｇの水と、３２．２ｇの界面活性剤１２（Ｃ３Ｆ７ＯＣＦ（ＣＦ３）−ＣＨ２−Ｏ−ＰＯ（ＯＨ）Ｏ−ＮＨ４＋）と、４５ｍＬの上記フッ素化イオノマー微粒子の２１．４重量％水性分散液との溶液を、３．７９リットル反応器に投入する。この溶液を７５℃まで加熱する。微量酸素の除去後、この反応器を、５５／４５の重量比の、ペルフルオロ（メチルビニル）エーテル（ＰＭＶＥ）とテトラフルオロエチレン（ＴＦＥ）との混合物で２．０７ＭＰａまで加圧する。この反応器に、１０５．７ｍＬの１重量％過硫酸アンモニウム開始剤溶液を投入し、次いで、１．０１ｍＬ／分のこの開始剤溶液を、合計５０ｇのＴＦＥおよびＰＭＶＥが消費されるまで反応器に供給する。この反応の間、反応器圧力を２．０７ＭＰａで維持するために、反応器に５５／４５の重量比のペルフルオロ（メチルビニル）エーテル（ＰＭＶＥ）とテトラフルオロエチレン（ＴＦＥ）との混合物を投入する。結果として生じた変性フッ素化イオノマー微粒子の分散体は、５．０８重量％の固形物を含有する。変性微粒子の重量平均直径は、３４．２ｎｍ（それに対し、元の微粒子の直径は５．２３ｎｍ）である。この微粒子粒度の増大は、共重合ＴＦＥ／ＰＭＶＥコーティングに加えて、いくらかの凝集があることを示唆している。
テトラフルオロエチレン（ＴＦＥ）、ペルフルオロ（メチルビニル）エーテル（ＰＭＶＥ）、およびペルフルオロ−８（シアノ−５−メチル−３，６−ジオキサ−１−オクテン）（８ＣＮＶＥ）の共重合モノマーを含有するペルフルオロエラストマーを以下の通りに調製する：１リットルの機械撹拌式の水ジャケット付きのステンレス鋼オートクレーブに、３つの水性流れをそれぞれ連続的に供給する。第１の流れは、１時間当たり９５ミリリットル（ｍＬ／時間）の速度で供給され、脱イオン水１リットル当たり１．９３ｇの過硫酸アンモニウムおよび６．９３ｇのリン酸水素二ナトリウム七水和物からなる。第２の流れは、８１ｍＬ／時間の速度で供給され、脱イオン水１リットル当たり３０ｇの界面活性剤１２（Ｃ３Ｆ７ＯＣＦ（ＣＦ３）−ＣＨ２−Ｏ−ＰＯ（ＯＨ）Ｏ−ＮＨ４＋）からなる。第３の流れは、６７ｍＬ／時間の速度で供給され、上記で調製された変性フッ素化イオノマー微粒子の５．０８重量％水性分散液からなる。ダイヤフラム圧縮機を使用して、ＴＦＥ（５６．３ｇ／時間）とＰＭＶＥ（６８．６ｇ／時間）との混合物を一定速度で供給する。液体モノマーである８ＣＮＶＥは、別個に３．４ｇ／時間の速度で供給する。反応を通して、温度を８５℃、圧力を４．１ＭＰａ（６００ｐｓｉ）、そしてｐＨを３．５で維持する。ポリマーエマルションを降下弁によって連続的に取り出し、未反応のモノマーを排出する。最初にこのエマルションを、脱イオン水を用いてエマルション１リットル当たり８リットルの脱イオン水の割合で希釈し、続いて６０℃の温度でエマルション１Ｌ当たり５３０ｃｃの硫酸マグネシウム溶液（脱イオン水１リットル当たり１００ｇの硫酸マグネシウム七水和物）を加えることにより、エマルションからポリマーを単離する。結果として生じたスラリーを濾過し、１リットルのエマルションから得られたポリマー固形物を６０℃で８リットルの脱イオン水中に再分散させた。濾過後、この湿潤クラムを、強制エアオーブンにおいて４８時間にわたり７０℃で乾燥させる。ポリマー収量は、反応器の運転１時間当たりおよそ１３３ｇである。この分散体粒子中のフッ素化イオノマー（ＦＩ核）の重量％は、０．００２６重量％と計算される。そのポリマー組成は、４９．６重量％のＰＭＶＥ、２．３４重量％の８ＣＮＶＥ、残りはテトラフルオロエチレンである。１００ｇのＦｌｕｔｅｃ  ＰＰ−１１（Ｆ２  Ｃｈｅｍｉｃａｌｓ  Ｌｔｄ．，Ｐｒｅｓｔｏｎ，ＵＫ）中０．１ｇポリマーの溶液において３０℃で測定されたこのポリマーの内部粘度は、０．７５である。
【手続補正２】
【補正対象書類名】明細書
【補正対象項目名】０１４０
【補正方法】変更
【補正の内容】
【０１４０】
以上、本発明を要約すると下記のとおりである。
１．フルオロポリマーのバルクとフッ素化イオノマーの核とを含む粒子。
２．粒子が、約１０ｎｍ〜約４００ｎｍの数平均粒子径を有する、上記１に記載の粒子の水性分散液。
３．約１５質量％未満のフッ素化イオノマーを含む、上記１に記載の粒子。
４．フルオロポリマーが、テトラフルオロエチレン（ＴＦＥ）、ヘキサフルオロプロピレン（ＨＦＰ）、クロロトリフルオロエチレン（ＣＴＦＥ）、トリフルオロエチレン、ヘキサフルオロイソブチレン、ペルフルオロアルキルエチレン、フルオロビニルエーテル、フッ化ビニル（ＶＦ）、フッ化ビニリデン（ＶＦ２）、ペルフルオロ−２，２−ジメチル−１，３−ジオキソール（ＰＤＤ）、ペルフルオロ−２−メチレン−４−メチル−１，３−ジオキソラン（ＰＭＤ）、ペルフルオロ（アリルビニルエーテル）およびペルフルオロ（ブテニルビニルエーテル）からなる群から選択される少なくとも１つのフッ素化モノマーのホモポリマーまたはコポリマーである、上記１に記載の粒子。
５．フルオロポリマーが、約１質量％以下のコモノマー含量を有するポリテトラフルオロエチレンまたは変性ポリテトラフルオロエチレンを含む、上記１に記載の粒子。
６．フルオロポリマーが、少なくとも約６０〜９８質量％のテトラフルオロエチレン単位と約２〜４０質量％の少なくとも１つの他のモノマーとを含む溶融加工可能なコポリマーを含む、上記１に記載の粒子。
７．フルオロポリマーが、フルオロカーボンエラストマーを含む、上記１に記載の粒子。８．フルオロカーボンエラストマーが、フッ化ビニリデン（ＶＦ２）、テトラフルオロエチレン（ＴＦＥ）、およびそれらの混合物からなる群から選択される第１のフッ素化モノマーの共重合単位をフルオロカーボンエラストマーの総質量に基づき２５〜７０質量％含むコポリマーを含む、上記７に記載の粒子。
９．上記１に記載の粒子から作られる物品。
１０．上記１に記載の粒子から作られるコーティングを有する物品。
１１．上記２に記載の水性分散液から作られるコーティングを有する物品。
【手続補正３】
【補正対象書類名】特許請求の範囲
【補正対象項目名】全文
【補正方法】変更
【補正の内容】
【特許請求の範囲】
【請求項１】
フルオロポリマーのバルクとフッ素化イオノマーの核とを含む粒子。
【請求項２】
粒子が、約１０ｎｍ〜約４００ｎｍの数平均粒子径を有する、請求項１に記載の粒子の水性分散液。
【請求項３】
請求項１に記載の粒子から作られる物品。
【請求項４】
請求項１に記載の粒子から作られるコーティングを有する物品。
【請求項５】
請求項２に記載の水性分散液から作られるコーティングを有する物品。
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
以下の成分Ａ）〜Ｄ）を含有し、防炎加工剤を含有しない組成物：
Ａ）芳香族ポリカーボネートおよび／または芳香族ポリエステルカーボネート：成分Ａ＋Ｂ＋Ｃ＋Ｄの総重量部に基づき、４０〜９９重量部、
Ｂ）シリコーンゴムおよびポリアルキル（メタ）アクリレートゴムから成るシリコーンアクリレート複合ゴムをグラフトベースとする第１グラフトポリマーであって、
シリコーンゴムの量がグラフトベースに基づき６５〜９５重量％である該第１グラフトポリマー：成分Ａ＋Ｂ＋Ｃ＋Ｄの総重量部に基づき、０.５〜２０重量部、
Ｃ）該ゴムに対して化学的に結合しない遊離コポリマーを含有し、６００００〜１５００００ｇ／モルの重量平均分子量を有する第２グラフトポリマー：成分Ａ＋Ｂ＋Ｃ＋Ｄの総重量部に基づき、０.５〜４０重量部、
Ｄ）ゴム不含ビニル（コ）ポリマーおよびポリアルキレンテレフタレートから成る群から選択される１種または複数種のポリマー：成分Ａ＋Ｂ＋Ｃ＋Ｄの総重量部に基づき、０〜２０重量部。
【請求項２】
以下の成分Ｂ.１およびＢ.２から成るグラフトポリマーを成分Ｂとして含有する請求項１に記載の組成物：
Ｂ.１  ５〜９５重量％の１種または複数種のビニルモノマー、
Ｂ.２  ９５〜５重量％の、グラフトベースとしての１種または複数種のシリコーン-アクリレート複合ゴムであって、該シリコーン-アクリレートゴムは、以下の成分Ｂ.２.１およびＢ.２.２を含有する：
Ｂ.２.１  ６５〜９５重量％のシリコーンゴムおよび、
Ｂ.２.２  ３５〜５重量％のポリアルキル（メタ）アクリレートゴム
ただし、上記２種類のゴム成分Ｂ.２.１およびＢ.２.２は複合ゴム中において相互侵入することにより、実質的に相互に分離できない。
【請求項３】
以下の成分Ｃ.１）およびＣ.２）から成るグラフトポリマーを成分Ｃとして含有する請求項１に記載の組成物：
Ｃ.１)以下の成分Ｃ.１.１）および成分Ｃ.１.２）から成る混合物：成分Ｃに基づき５〜９５重量％：
Ｃ.１.１）ビニル芳香族化合物、環置換ビニル芳香族化合物およびメタクリル酸（Ｃ１-Ｃ８）-アルキルエステルから成る群から選択される少なくとも１種のモノマー：Ｃ.１に基づき６５〜８５重量％、および
Ｃ.１.２)シアン化ビニル、（メタ）アクリル酸（Ｃ１-Ｃ８）-アルキルエステルおよび不飽和カルボン酸の誘導体からなる群から選択される少なくとも１種のモノマー：Ｃ.１に基づき１５〜３５重量％、
Ｃ.２）０.０５〜１０μｍの平均粒度（ｄ５０値）を有し、０℃未満のガラス転移温度を有する少なくとも１種のグラフトベースＣ.２）：成分Ｃに基づき９５〜５重量％。
【請求項４】
塊状重合法、溶液重合法または塊状-懸濁重合法によって調製されたグラフトポリマーを成分Ｃとして含有する請求項３に記載の組成物であって、
成分Ｃ.１.１に係るモノマーのうちの少なくとも１種を、グラフトシェルのモノマーに基づき７０〜８０重量％と、
成分Ｃ.１.２に係るモノマーのうちの少なくとも１種を、グラフトシェルのモノマーに基づき２０〜３０重量％含有するグラフトシェルを有すると共に、
１０〜２０重量％のゴム含有量（グラフトポリマーＣ中の成分Ｃ.２の含有量）を示す該組成物。
【請求項５】
以下の成分Ａ）〜Ｅ）から成る組成物：
Ａ）芳香族ポリカーボネートおよび／または芳香族ポリエステルカーボネート；成分Ａ＋Ｂ＋Ｃ＋Ｄの総重量部に基づき４０〜９９重量部、
Ｂ）相互侵入したシリコーンゴムおよびポリアルキル（メタ）アクリレートゴムから成るシリコーンアクリレート複合ゴムをグラフトベースとする第１グラフトポリマーであって、シリコーンゴムの含有量がグラフトベースに基づき６５〜９５重量％である該第１グラフトポリマー：成分Ａ＋Ｂ＋Ｃ＋Ｄの総重量部に基づき０.５〜２０重量部、
Ｃ）該ゴムに対して化学的に結合しない遊離コポリマーを含有し、６００００〜１５００００ｇ／モルの重量平均分子量を有する第２グラフトポリマー：成分Ａ＋Ｂ＋Ｃ＋Ｄの総重量部に基づき０.５〜２０重量部、
Ｄ）ゴム不含ビニル（コ）ポリマーおよびポリアルキレンテレフタレートから成る群から選択される１種または複数種のポリマー：成分Ａ＋Ｂ＋Ｃ＋Ｄの総重量部に基づき、３〜１６重量部、および
Ｅ）滑剤、離型剤、核形成剤、安定剤、耐電防止剤、酸、充填剤、および強化材料、並びに着色剤および顔料から成る群から選択される１種または複数種の添加剤：Ａ＋Ｂ＋Ｃ＋Ｄの総重量部に基づき０.５〜２５重量部。
【請求項６】
成分Ｂの量が、成分Ａ＋Ｂ＋Ｃ＋Ｄの総重量部に基づき８〜１３重量部であり、
成分Ｃの量が、成分Ａ＋Ｂ＋Ｃ＋Ｄの総重量部に基づき７〜１６重量部である請求項５に記載の組成物。
【請求項７】
成形品の製造における請求項１に記載の組成物の使用
【請求項８】
請求項１〜６のいずれかに記載の組成物を含有する成形品。
【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
Ａ）（各場合、成分の重量部の合計Ａ＋Ｂ＋Ｃ＋Ｄに基づいて、）４０〜９９重量部の芳香族ポリカーボネートおよび／または芳香族ポリエステルカーボネート、
Ｂ）（各場合、成分の重量部の合計Ａ＋Ｂ＋Ｃ＋Ｄに基づいて、）０．５〜２０重量部のグラフトポリマーであって、
グラフトベースは、シリコンゴムとポリアルキル（メタ）アクリレートゴムが相互貫入したシリコン／アクリレートコンポジットゴムであり、シリコンゴム含有量が（グラフトベースに基づいて）６５〜９５重量％であることを特徴とするグラフトポリマー、
Ｃ）（各場合、成分の重量部の合計Ａ＋Ｂ＋Ｃ＋Ｄに基づいて、）０．１〜２０重量部のグラフトポリマーであって、
グラフトベースがジエンゴムであることを特徴とするグラフトポリマー、
Ｄ）（各場合、成分の重量部の合計Ａ＋Ｂ＋Ｃ＋Ｄに基づいて、）０．４〜２０重量部の、モノマー状およびオリゴマー状リン酸およびホスホン酸エステル、ホスホネートアミンおよびホスファゼンから成る群の少なくとも１つから選択される防炎剤
を含有する組成物。
【請求項２】
成分Ｂとして、
Ｂ．１  ５〜９５重量％の１以上のビニルモノマーの、
Ｂ．２  ９５〜５重量％の、グラフトベースとしての１以上のシリコン／アクリレートコンポジットゴムにおける
グラフトポリマーを含み、
ここでシリコン／アクリレートゴムは、
Ｂ．２．１  ６５〜９５重量％のシリコンゴムと、
Ｂ．２．２  ３５〜５重量％のポリアルキル（メタ）アクリレートゴムを含有し、
記載の２つのゴム成分Ｂ．２．１およびＢ．２．２はコンポジットゴム内に相互貫入し、これらは実質的に互いに分離し得ないようにする
請求項１による組成物。
【請求項３】
成分Ｃとして、
Ｃ．１  ５〜９５重量％の少なくとも１つのビニルモノマーの、
Ｃ．２  ９５〜５重量％の少なくとも１つのジエンゴムを含有するグラフトベースにおける
グラフトポリマーを含む請求項１による組成物。
【請求項４】
成分Ｄとして、一般式（ＶＩＩＩ）のモノマー状およびオリゴマー状リン酸またはホスホン酸エステル、
【化１】
2012513505.tif 000001
（ここで、
Ｒ１、Ｒ２、Ｒ３およびＲ４は互いに独立して、各場合任意にハロゲン化されたＣ１〜Ｃ８アルキル、各場合アルキルおよび／またはハロゲンで任意に置換されたＣ５〜Ｃ６シクロアルキル、Ｃ６〜Ｃ２０アリールまたはＣ７〜Ｃ１２アラルキルを示し、
ｎは互いに独立して０または１を示し、
ｑは０〜３０を示し、かつ
Ｘは６〜３０個のＣ原子を有する単核または多核芳香族基、または２〜３０個のＣ原子を有する線形または分岐脂肪族基を示し、これはＯＨ置換されてもよく、８個までのエーテル結合を含有してもよい）
を含有する請求項１による組成物。
【請求項５】
（各場合、成分の重量部の合計Ａ＋Ｂ＋Ｃ＋Ｄに基づいて、）０〜５０重量部の、防炎協力剤、ドリッピング防止剤、潤滑剤およびモールド剥離剤、核化剤、安定剤、帯電防止剤、酸、充填剤および補強物質、および染料および顔料から成る群から選択される１以上の添加剤を含有する請求項１による組成物。
【請求項６】
請求項１〜５の１つによる組成物を含有する成形物品。
【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
Ａ）芳香族ポリカーボネートおよび／または芳香族ポリエステルカーボネート４０〜９９重量部（各々、成分の重量部の和Ａ＋Ｂ＋Ｃ＋Ｄに基づく）
Ｂ）グラフトベースがシリコーンゴムおよびポリアルキル（メタ）アクリレートゴムの相互侵入したシリコーン／アクリレートコンポジットゴムであり、シリコーンゴムの含有量が６５〜９５重量％（グラフトベースに基づく）であるグラフトポリマー０．５〜２０重量部（各々、成分の重量部の和Ａ＋Ｂ＋Ｃ＋Ｄに基づく）、
Ｃ）ｄ９８値２０μｍ未満、好ましくは１５μｍ未満、特に好ましくは８μｍ未満を有するタルク０．１〜２０重量部（各々、成分の重量部の和Ａ＋Ｂ＋Ｃ＋Ｄに基づく）
Ｄ）モノ−およびオリゴマー状リン酸エステルおよびホスホン酸エステル、ホスホネートアミンおよびホスファゼンからなる群の少なくとも一つから選択された防炎加工剤０．４〜２０重量部（各々、成分の重量部の和Ａ＋Ｂ＋Ｃ＋Ｄに基づく）
を含有する組成物。
【請求項２】
ｄ９８値０．２〜２μｍ未満を有するタルクを成分Ｃとして含有する請求項１記載の組成物。
【請求項３】
成分Ｂのグラフトポリマーが、
Ｂ．１  Ｂ．２上の１種以上のビニルモノマー５〜９５重量％、および
Ｂ．２  グラフトベースとして１以上のシリコーン／アクリレートコンポジットゴム９５〜５重量％であって、該シリコーン／アクリレートゴムがＢ．２．１シリコーンゴム６５〜９５重量％およびＢ．２．２ポリアルキル（メタ）アクリレートゴム３５〜５重量％を含有し、上記２種のゴム成分Ｂ．２．１およびＢ．２．２が相互にコンポジットゴム中に相互に侵入して実質上互いに分離することができないものであるもの、
B．２上でB．１がグラフトしたものである請求項１記載の組成物。
【請求項４】
成分Ｄとして、一般式（ＶＩＩＩ）：
【化１】
2012513504.tif 000001
[式中、Ｒ１、Ｒ２、Ｒ３およびＲ４は互いに独立して、各々必要に応じてハロゲン化されたＣ１〜Ｃ８−アルキル、またはＣ５〜Ｃ６−シクロアルキル、Ｃ６〜Ｃ２０アリールまたはＣ７〜Ｃ１２アラルキルを表し、各々必要に応じてアルキルおよび／またはハロゲンで置換されてもよく、ｎは互いに独立して０または１を示し、ｑは０〜３０を示し、Ｘは炭素数６〜３０の単核または多核芳香族基、または炭素数２〜３０の直鎖または分岐鎖脂肪族基であって、ＯＨで置換されてもよくかつ８個までのエーテル基を含有してもよい。]
を有するモノーおよびオリゴマー状リン酸エステルまたはホスホン酸エステルを含有する請求項１記載の組成物。
【請求項５】
成分Ｄとして、式（ＶＩＩＩａ）：
【化２】
2012513504.tif 000002
（式中、式（ＶＩＩＩａ）のｑは１．０５〜１．２の値を表す。）
のビスフェノールＡベースのオリゴホスフェートを含有する請求項１記載の組成物。
【請求項６】
成形物品の製造への請求項１記載の組成物の使用。
【請求項７】
請求項１〜６いずれかに記載の組成物を含む成形物品。
【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
有機化学分析質を検知するための検知素子であって、
第一の電極と、第二の電極と、
前記第一及び第二の電極に少なくとも近接して配置される実質的に微多孔性で、非晶質であり、疎水性の分析質応答性有機ケイ酸塩材料とを含み、前記実質的に微多孔性で、非晶質であり、疎水性の分析質応答性有機ケイ酸塩材料が、孔体積を画定する微小孔を含む、検知素子。
【請求項２】
総孔体積の少なくとも５０％が０．６〜１．３ナノメートルの直径を有する孔を構成する、請求項１に記載の検知素子。
【請求項３】
前記検知素子が平行プレートコンデンサ構成、交互配置コンデンサ構成、又は、直列に接続されている多重平行プレートコンデンサ構成を含む、請求項１に記載の検知素子。
【請求項４】
有機化学分析質を検知する方法であって、
第一の電極と、第二の電極と、前記第一及び第二の電極に少なくとも近接して配置される実質的に微多孔性で、非晶質であり、疎水性の分析質応答性有機ケイ酸塩材料とを含む検知素子であって、前記実質的に微多孔性で、非晶質であり、疎水性の分析質応答性有機ケイ酸塩材料が、孔体積を画定する微小孔を含む検知素子、並びに、
前記第一及び第二の電極と電気的に導通する動作回路であって、前記第一及び第二の電極に電圧を印加することができ、前記検知素子の電気的特性の変化を検出することができる動作回路、を含むセンサを提供する工程と、
前記検知素子を１つ以上の有機化学分析質を潜在的に含む環境に曝露する工程と、
電圧を前記第一及び第二の電極に印加する工程と、
前記検知素子の電気的特性を監視する工程と、を含む、方法。
【手続補正書】
【提出日】平成24年12月21日(2012.12.21)
【手続補正１】
【補正対象書類名】明細書
【補正対象項目名】００２４
【補正方法】変更
【補正の内容】
【００２４】
筐体の制振のための上記の制振板の使用が、請求項１７にて定義されている。
【手続補正２】
【補正対象書類名】明細書
【補正対象項目名】００３０
【補正方法】変更
【補正の内容】
【００３０】
図２〜６に単独で図示する制振板２は、オイルパンの取付上面３からある距離、例えば３ｍｍ〜３ｃｍ下方に離れた位置で、オイルパン１の第１及び第２の対向側面５，６に対して取り付けられる。制振板を、ブロックとオイルパンとの間の接合部よりも下に、あるいは、本発明の他の実施例のようにブロックとオイルパンとの間の接合部よりも上に位置付けることは、従来のガスケットを用いてブロックとオイルパンとの間を封止することができるということである。この距離は、それ自体は重要ではないが、当業者にとって容易に明らかとなる程度に変更してもよい。図８から分かるように、制振板２は、側壁５，６に沿って、複数のブラケット７によって支持されている。ここで、各ブラケット７は、制振板２の孔９に受け止められる、上方に延出するピン８を有している。ピン８及び孔９に代わる他の締結手段には、例えば、各ブラケット７に設けられたボアに受け止められるネジや、リベット等が含まれる。もちろん、制振板２を側壁５，６に取り付けるための他の手段を設けてもよい。例えば、１つ以上の棚状部又はフランジを側壁に設けてもよいし、若しくはその代わりに、例えば、ブラケット、棚状部、フランジ、又は他の手段を、制振板に設けてもよい。
【手続補正３】
【補正対象書類名】明細書
【補正対象項目名】００３８
【補正方法】変更
【補正の内容】
【００３８】
これは、図１０及び１１に例示の、本発明の他の実施例（図１〜６と同一の符号を、対応する部品に対して使用する）に適用してもよい。この実施例において、制振板は、クランクシャフト軸受を支持する下側ベアリングキャップ半体の底部に追加的に取り付けられ、それによってベアリングキャップの振動を低減する。
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
近位端及び遠位端を有し、前記近位端と前記遠位端との間に伸張する長手方向軸線を画定するハウジングと、
前記ハウジングに対して長手方向に摺動可能な駆動ギアと、
前記駆動ギアに接続された遠位端を有する、前記駆動ギアを長手方向に摺動するための細長い制御部材と、
第１の顎状部材及び第１のギア端部を有し、前記第１のギア端部が前記駆動ギアと噛み合い且つ前記ハウジングに枢動可能に取り付けられる第１の細長いアームと、
第２の顎状部材及び第２のギア端部を有し、前記第２のギア端部が前記駆動ギアと噛み合い且つ前記ハウジングに前記第１の細長いアームとは反対側に枢動可能に取り付けられる第２の細長いアームと、を備え、
前記第１の細長いアーム及び前記第２の細長いアームは第１の閉じた位置と第２の開いた位置との間で枢動可能であり、前記第１の顎状部材及び前記第２の顎状部材は前記第１の閉じた位置においては互いに隣接して配置され、前記第２の開いた位置においては約３６０°の角度の間隔を空けて配置される、医療装置。
【請求項２】
前記ハウジングが、前記第２の開いた位置において前記第１の細長いアーム及び前記第２の細長いアームを受け入れる大きさとされた、少なくとも一つの開口を有する、請求項１に記載の医療装置。
【請求項３】
前記第１の細長いアーム、前記第２の細長いアーム、及び前記駆動ギアが、前記第２の開いた位置において前記ハウジングの中に完全に収納される、請求項１に記載の医療装置。
【請求項４】
前記駆動ギアの遠位端は、前記第１及び第２のギア端部と噛み合わないストッパー部を画定している、請求項１に記載の医療装置。
【請求項５】
前記第１及び第２の細長いアームのそれぞれが、前記第１の閉じた位置と前記第２の開いた位置との間で約１８０°の円弧状に枢動する、請求項１に記載の医療装置。
【請求項６】
前記第１のギア端部は第１の湾曲したギア表面と第１の複数の歯を有し、該第１の複数の歯は前記第１の湾曲したギア表面に沿って約１８０°に亘って延在しており、前記第２のギア端部は第２の湾曲したギア表面と第２の複数の歯を有し、該第１の複数の歯は前記第２の湾曲したギア表面に沿って約１８０°に亘って延在している、請求項５に記載の医療装置。
【請求項７】
前記駆動ギアが、前記長手方向軸線に対して横方向に延在する複数のリブによって分離された複数のスロットを有し、前記第１のギア端部が第１の複数の歯を備え、前記第２のギア端部が第２の複数の歯を備え、前記第１及び第２の歯は側面の前記スロットの中に係合したときに前記長手方向軸線に対して実質的に垂直な方向に突き出ている、請求項１に記載の医療装置。
【請求項８】
長手方向軸線を画定し長手方向の長さを有する細長いラックを備えるとともに、第１のギア表面、及び前記第１のギア表面とは反対側の第２のギア表面を備える駆動ギアと、
前記駆動ギアの前記長手方向の長さに沿った前記細長いラックの前記第１のギア表面から離れて横方向に突き出した複数の第１のリブであって、当該第１のリブの間に第１の複数のスロットを画定している複数の第１のリブと、
前記駆動ギアの前記長手方向の長さに沿った前記細長いラックの前記第２のギア表面から離れて横方向に突き出した複数の第２のリブであって、当該第２のリブの間に第２の複数のスロットを画定している複数の第２のリブと、
近位端、遠位端、及び前記近位端と前記遠位端との間に伸張する少なくとも一つの開口を有するハウジングと、
第１の顎状部材及び第１のギア端部を備え、前記第１のギア端部は前記ハウジングの前記遠位端に第１の枢動点で枢動可能に接続された第１の複数の歯を有し、前記第１の複数の歯は前記駆動ギアの前記第１の複数のスロットに係合されている、第１の細長いアームと、
第２の顎状部材及び第２のギア端部を備え、前記第２のギア端部は前記ハウジングの前記遠位端に第２の枢動点で枢動可能に接続された第２の複数の歯を有し、前記第２の複数の歯は前記駆動ギアの前記第２の複数のスロットに係合されている、第２の細長いアームと、を備え
前記ハウジングは、完全に開いた形態において、前記第１及び第２の細長いアームを前記少なくとも一つの開口の中に実質的に取り囲むように収納するようになっている、医療装置。
【請求項９】
前記ハウジングの前記少なくとも一つの開口は、前記ハウジングの前記遠位端まで長手方向に伸張し且つ前記長手方向軸線から離れるように横方向に空いている第１の開口を画定し、前記ハウジングの前記少なくとも一つの開口はさらに、前記ハウジングの前記遠位端まで長手方向に伸張し且つ前記長手方向軸線から離れるように横方向に空いている第２の開口を画定しており、前記第２の開口は前記第１開口の反対側に前記第１開口から間隔を置いて位置している、請求項８に記載の医療装置。
【請求項１０】
前記第１の顎状部材及び前記第２の顎状部材は前記完全に開いた形態において互いに概して平行に配置されており、前記完全に開いた形態の前記第１の細長いアーム及び前記第２の細長いアームは前記ハウジングの前記遠位端の近位側に配置されている、請求項８に記載の医療装置。
【請求項１１】
前記第１の複数の歯が、前記第１のギア端部の第１の表面に沿って配置されている、請求項７に記載の医療装置。
【請求項１２】
前記第２の複数の歯が、前記第２のギア端部の第２の表面の周囲に配置されており、前記第２の表面は前記第１のギアの前記第１の表面の反対側に配置されている、請求項１１に記載の医療装置。
【請求項１３】
前記第１の細長いアーム及び前記第２の細長いアームは少なくとも１２．７ミリメートルの長手方向の長さを有し、当該医療装置の全体的な直径は２０フレンチ以下である、請求項１に記載の医療装置
【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
治療用物質を眼球の表面を介しておよび／または眼球の表面内に送達する送達装置であって、
前記治療用物質を貯蔵するイオントフォレシスチャンバと、
前記少なくとも１つのイオントフォレシスチャンバに対して配置され、エネルギーが供給された際に生成する起電力によって前記イオントフォレシスチャンバ内に貯蔵された前記治療用物質の少なくとも一部を前記眼球の表面を介しておよび／または前記眼球の表面内に送達する電極と、
少なくとも一部が前記少なくとも１つのイオントフォレシスチャンバ内に配されており、イオントフォレシスによって前記治療用物質が送達されるあいだ前記眼球の表面付近のｐＨを３〜８の範囲内に維持する緩衝系と、
を備える、治療用物質送達装置。
【請求項２】
請求項１において、前記緩衝系が、眼組織の損傷のリスクを軽減する緩衝剤を含む、治療用物質送達装置。
【請求項３】
請求項２において、前記緩衝剤が、イオン交換樹脂、ポリマー粒子、不溶性の緩衝作用を有する粒子、カチオン性粒子、アニオン性粒子、および両性イオン性粒子のうちの少なくとも１つを含む、治療用物質送達装置。
【請求項４】
請求項３において、前記イオン交換樹脂が、強酸、強塩基、弱酸、および弱塩基のうちの少なくとも１つの特性を有する少なくとも１種のイオン交換材料を有する、治療用物質送達装置。
【請求項５】
請求項２〜４のいずれか一項において、前記緩衝系が、さらに、治療用物質を含む、治療用物質送達装置。
【請求項６】
請求項１〜５のいずれか一項において、前記ｐＨが前記治療用物質の最大のイオン化レベルと実質的に同じ水準に維持されることにより、当該治療用物質の送達効率が向上する、治療用物質送達装置。
【請求項７】
請求項１〜６のいずれか一項において、前記緩衝系が、前記電極からの電界を伝搬させることが可能な導電性を有する、治療用物質送達装置。
【請求項８】
請求項１〜７のいずれか一項において、前記緩衝系が、多孔質物質、溶液、ゲル、樹脂充填床、ヒドロゲルフィルム、および膜体のうちの少なくとも１つを含む、治療用物質送達装置。
【請求項９】
請求項８において、前記多孔質物質が、発泡体、布帛、不織体、および焼結体のうちの少なくとも１つを有するものであり、前記ゲルが、ヒドロゲルのマトリックス、およびエアロゲルのマトリックスのうちの少なくとも１つを有するものであり、および前記膜体が、単層の膜、多層の膜、疎水性の膜（半透膜）、および不透膜／中実膜のうちの少なくとも１つを有するものである、治療用物質送達装置。
【請求項１０】
請求項１〜９のいずれか一項において、前記イオントフォレシスチャンバが、少なくとも１つの第一の層、および少なくとも１つの第二の層を有しており、前記第一の層は前記緩衝系を含み、前記第二の層は治療用物質を含む、治療用物質送達装置。
【請求項１１】
請求項１０において、前記第一の層が、前記電極と前記第二の層との間に位置している、治療用物質送達装置。
【請求項１２】
請求項１０または１１において、さらに、
前記第一の層と前記第二の層との間に設けられた膜体、
を備える、治療用物質送達装置。
【請求項１３】
請求項１２において、前記膜体が、各層の含水量を維持することができる程度に低い透湿度を有する、治療用物質送達装置。
【請求項１４】
請求項１２または１３において、前記層が互いに同心状に位置している、治療用物質送達装置。
【請求項１５】
請求項１４において、さらに、
前記第一の層と前記第二の層との間に設けられた膜体、
を備える、治療用物質送達装置。
【請求項１６】
請求項１２〜１５のいずれか一項において、前記第一の層の緩衝能力が前記第二の層よりも高い、治療用物質送達装置。
【請求項１７】
請求項１において、前記イオントフォレシスチャンバが、第一の層、第二の層、および第三の層を有しており、前記第一の層および第二の層は前記緩衝系を含み、前記第三の層は治療用物質を含む、治療用物質送達装置。
【請求項１８】
請求項１７において、前記第一の層が前記電極に最も近く、前記第二の層が前記第一の層と前記第三の層との間に位置している、治療用物質送達装置。
【請求項１９】
請求項１８において、さらに、
前記第一の層と前記第二の層との間に設けられた膜体、または前記第二の層と前記第三の層との間に設けられた膜体、
を備える、治療用物質送達装置。
【請求項２０】
請求項１９において、前記膜体が、各層の含水量を維持することができる程度に低い透湿度を有する、治療用物質送達装置。
【請求項２１】
請求項１７〜２０のいずれか一項において、前記層が互いに同心状に位置している、治療用物質送達装置。
【請求項２２】
請求項２１において、さらに、
前記第一の層と前記第二の層との間に設けられた膜体、または前記第二の層と前記第三の層との間に設けられた膜体、
を備える、治療用物質送達装置。
【請求項２３】
請求項１７〜２２のいずれか一項において、前記治療用物質を含む前記第三の層が、前記イオントフォレシスチャンバに着脱可能に連結される、治療用物質送達装置。
【請求項２４】
請求項１７〜２３のいずれか一項において、前記第一の層の緩衝能力が前記第二の層よりも高い、治療用物質送達装置。
【請求項２５】
請求項１７〜２４のいずれか一項において、前記第二の層が、前記第三の層の前記治療用物質の電気的送達を最適化するイオン性組成物を含む、治療用物質送達装置。
【請求項２６】
請求項１〜２５のいずれか一項において、前記緩衝系が、緩衝作用を有する表面コーティングとして設けられている、治療用物質送達装置。
【請求項２７】
請求項１〜２６のいずれか一項において、前記緩衝系が、再水和剤を含む、治療用物質送達装置。
【請求項２８】
請求項１〜２７のいずれか一項において、前記緩衝系が、前記電極の近傍に位置している、治療用物質送達装置。
【手続補正２】
【補正対象書類名】図面
【補正対象項目名】図５Ａ
【補正方法】変更
【補正の内容】
【図５Ａ】
2012513875.tif 000001
【手続補正３】
【補正対象書類名】図面
【補正対象項目名】図７
【補正方法】変更
【補正の内容】
【図７】
2012513875.tif 000002
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
管腔内器具を送り込む給送器具であり、
第一の歯車の組と第二の歯車の組とを備えている、歯車及びプーリー機構と、
前記第一の歯車の組と第二の歯車の組とのどちらか一方に択一的に機械結合されるようになされている駆動プーリーと、
内側の長手方向に細長い部材の外周に沿って設けられ、近位方向に後退したり遠位方向に再被覆するように前記駆動プーリーに機械的に連結されている外側シースと、
係留アセンブリを備えている固定部材と、を備えており、
前記係留アセンブリは、保持ループアセンブリと係止ワイヤとを備えており、前記外側シースが前記内側の細長い部材に対して動く際に、前記係止ワイヤの遠位部分が前記保持ループアセンブリと係合することによって、前記管腔内器具が前記内側の細長い部材に係留される、ことを特徴とする給送器具。
【請求項２】
前記係留アセンブリが更に、第一の対のカニューレと、該第一の対のカニューレに固定された第二のカニューレと、遠位のループ部分と第一の近位端と第二の近位端とを備えている保持ループワイヤとを備えており、前記第一の近位端と第二の近位端とは、前記第一の対のカニューレに挿入されている、ことを特徴とする請求項１に記載の給送器具。
【請求項３】
前記係留アセンブリが、約７０ニュートンの軸線方向に負荷に耐える構造とされている、ことを特徴とする請求項１に記載の給送器具。
【請求項４】
該給送器具のハンドルの遠位側に設けられた固定チューブを更に備えており、該固定チューブは、該固定チューブの長手方向の長さに沿って複数のスリットを備えており、該スリットは、該スリット内へ及び該スリットから外方へ織り上げられた係止ワイヤの織物を形成するために前記係止ワイヤの近位部分を収容できる構造とされている、ことを特徴とする請求項１に記載の給送器具。
【請求項５】
前記外側シース、内側の細長い部材、及び係留アセンブリの全体の直径が、約３．７ｍｍ未満である、ことを特徴とする請求項１に記載の給送器具。
【請求項６】
前記管腔内器具がスルー・ザ・スコープ（ＴＴＳ）型ステントである、ことを特徴とする請求項１に記載の給送器具。
【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
内科患者の１つもしくはそれ以上の生理学的パラメータの指標である音響振動に応答して信号を非侵襲的に出力するための音響センサアセンブリにおいて、
下部に開口空洞が形成されたフレームと、
音響振動に応答して信号を出力するように構成されているセンシング素子であって、該センシング素子は前記フレームによって支えられ、かつ前記開口空洞に横断して展開しているセンシング素子と、
前記センシング素子と電気的に接触し、かつ前記フレームの前記下部と対向する前記フレームの頂部に位置づけられる電気的コンポーネントと、および、
前記フレームによって支えられ、且つ、前記開口空洞へ予め定められた張力で前記センシング素子にバイアスをかけるために該センシング素子に圧力を加えるように位置付けられている音響カプラであって、該音響カプラは、当該音響センサアセンブリが内科患者に取り付けられたときに、該音響カプラを通じて音響振動を前記センシング素子に伝えるように構成されている、音響カプラと、を含み、
前記音響カプラは、当該音響カプラの内面に配置され、かつ前記開口空洞へ延びる内部突起を含む、音響センサアセンブリ。
【請求項２】
前記音響カプラが、更に、該音響カプラの外面に配置された外部突起を含む、請求項１記載の音響センサアセンブリ。
【請求項３】
前記音響カプラは、当該音響センサアセンブリが該内科患者に取り付けられたときに、該内科患者から前記音響センシング素子を電気的に絶縁する、請求項１記載の音響センサアセンブリ。
【請求項４】
前記音響カプラは、当該音響センサアセンブリが該内科患者に取り付けられたときに、該内科患者から前記音響センシング素子を電気的に分離する、請求項１記載の音響センサアセンブリ。
【請求項５】
前記音響カプラがエラストマを含む、請求項１記載の音響センサアセンブリ。
【請求項６】
前記センシング素子が圧電性材料を含む、請求項１記載の音響センサアセンブリ。
【請求項７】
前記音響カプラがゲルを含む、請求項１記載の音響センサアセンブリ。
【請求項８】
前記ゲルが該患者の測定部位と前記センシング素子との間をマッチングさせる音響インピーダンスをもたらす、請求項７記載の音響センサアセンブリ。
【請求項９】
情報エレメントをさらに含み、
前記情報エレメントがセンサ適合性情報を保存するように構成されている、請求項１記載の音響センサアセンブリ。
【請求項１０】
情報エレメントをさらに含み、
前記情報エレメントがセンサキャリブレーション情報を保存するように構成されている、請求項１記載の音響センサアセンブリ。
【請求項１１】
前記センシング素子と連通しているケーブルおよび該ケーブルに取り付けられたコネクタをさらに含み、前記情報エレメントが前記コネクタによって支持される、請求項１記載の音響センサアセンブリ。
【請求項１２】
使用中、前記フレームに予め定められた力を加えるように構成されている取り付け用エレメントをさらに含む、請求項１記載の音響センサアセンブリ。
【請求項１３】
内科患者の１つもしくはそれ以上の生理学的パラメータの指標である音響振動に応答して非侵襲的に信号を出力する方法において、
音響センサを提供するステップであって、該音響センサは、下部に開口空洞が形成されたフレーム、前記フレームによって支えられかつ前記開口空洞に横断して展開しており、音響振動を検出するように構成されているセンシング素子、前記センシング素子と電気的に接触し、前記フレームの前記下部と対向する前記フレームの頂部に位置づけられる電気的コンポーネント、および該フレームによって支えられ、且つ、内科患者への取り付けに先立って前記開口空洞へ予め定められた張力になるように前記センシング素子にバイアスをかけるために、該センシング素子に圧力を及ぼすように位置付けされている音響カプラを含み、前記音響カプラは、当該音響カプラの内面に配置され、かつ前記開口空洞へ延びる内部突起を含む、音響センサの提供ステップと、
前記音響センサを該内科患者に取り付けるステップであって、前記音響カプラは該内科患者と接触した状態で配置される、音響センサの取り付けステップと、および、
前記音響カプラを通じて伝送され、且つ、前記センシング素子によって検出された音響振動に基づいて、該内科患者の生理学的パラメータの指標である音響振動に応答した信号を出力するステップを含む、非侵襲的な信号出力方法。
【請求項１４】
内科患者の１つもしくはそれ以上の生理学的パラメータの指標である音響振動に応答して信号を非侵襲的に出力するための音響センサアセンブリにおいて、
フレームと、
前記フレームによって支えられ、かつ音響振動に応答して信号を出力するように構成されているセンシング素子と、および、
前記フレームによって支えられ、且つ、予め定められた張力で上記センシング素子にバイアスをかけるために該センシング素子に圧力を加えるように位置付けられている音響カプラであって、該音響カプラは、当該音響センサアセンブリが内科患者に取り付けられたときに、該音響カプラを通じて音響振動を上記センシング素子に伝えるように構成されている、音響カプラと、
前記フレームによって支えられ、かつ前記情報エレメントがセンサ適合性情報を保存するように構成されている情報エレメントを含む、音響センサアセンブリ。
【請求項１５】
前記情報エレメントがセンサキャリブレーション情報を保存するように構成されている、請求項１４記載の音響センサアセンブリ。
【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
ガス発生ポロゲン、およびゲルまたはゲル形成溶液を含んでなる、流動性の生体吸収性組織ドレッシング。
【請求項２】
ポロゲンが酸および炭酸塩の混合物である、請求項１に記載のドレッシング。
【請求項３】
酸がクエン酸である、請求項２に記載のドレッシング。
【請求項４】
炭酸塩が炭酸水素アンモニウム、炭酸水素ナトリウム、または炭酸カルシウムである、請求項２に記載のドレッシング。
【請求項５】
ゲルまたはゲル形成溶液が、Ｐｌｕｒｏｎｉｃ（登録商標）Ｆ１２７、ポリアクリル酸塩、ポロクサマー、ポリエチレングリコール、キトサン、コラーゲン、ゼラチン、ヒアルロン酸、またはそれらの組み合わせを含んでなる、請求項１に記載のドレッシング。
【請求項６】
ゲルまたはゲル形成溶液が、ポリアクリル酸塩およびキトサンの組み合わせを含んでなる、請求項１に記載のドレッシング。
【請求項７】
ゲルまたはゲル形成溶液が熱可逆性である、請求項１に記載のドレッシング。
【請求項８】
非ガス発生ポロゲンをさらに含んでなる、請求項１に記載のドレッシング。
【請求項９】
非ガス発生ポロゲンが塩である、請求項８に記載のドレッシング。
【請求項１０】
塩が塩化ナトリウムまたは塩化カリウムである、請求項９に記載のドレッシング。
【請求項１１】
非ガス発生ポロゲンが糖である、請求項８に記載のドレッシング。
【請求項１２】
ドレッシングに力学的強度を加える構造をさらに含んでなる、請求項１に記載のドレッシング。
【請求項１３】
構造がミクロスフェアまたは繊維である、請求項１２に記載のドレッシング。
【請求項１４】
構造がポリラクチド（ＰＬＡ）、ポリグリコール酸（ＰＬＧ）、ポリ（ラクチド−ｃｏ−グリコリド）（ＰＬＧＡ）、ポリエチレングリコール−ＰＬＡ、ＰＬＡ−ポリカプロラクトン（ＰＣＬ）、ポリオルトエステル、ポリホスファゼン、またはポリリン酸エステルを含んでなる、請求項１２に記載のドレッシング。
【請求項１５】
ドレッシングに剛性を加える化合物をさらに含んでなる、請求項１に記載のドレッシング。
【請求項１６】
化合物が硫酸カルシウム半水和物である、請求項１５に記載のドレッシング。
【請求項１７】
生物活性薬剤をさらに含んでなる、請求項１に記載のドレッシング。
【請求項１８】
生物活性薬剤が抗生物質である、請求項１７に記載のドレッシング。
【請求項１９】
生物活性薬剤が増殖因子である、請求項１７に記載のドレッシング。
【請求項２０】
増殖因子が、成長ホルモン（ＧＨ）、骨形成タンパク質（ＢＭＰ）、トランスフォーミング増殖因子−α（ＴＧＦ−α）、ＴＧＦ−β、線維芽細胞増殖因子（ＦＧＦ）、顆粒球−コロニー刺激因子（Ｇ−ＣＳＦ）、顆粒球／マクロファージコロニー刺激因子（ＧＭＣＳＦ）、上皮増殖因子（ＥＧＦ）、血小板由来増殖因子（ＰＤＧＦ）、インスリン様増殖因子（ＩＧＦ）、血管内皮増殖因子（ＶＥＧＦ）、肝細胞増殖因子／分散因子（ＨＧＦ／ＳＦ）、インターロイキン、腫瘍壊死因子−α（ＴＮＦ−α）または神経成長因子（ＮＧＦ）である、請求項１９に記載のドレッシング。
【請求項２１】
哺乳類細胞をさらに含んでなる、請求項１に記載のドレッシング。
【請求項２２】
哺乳類細胞が、胚性幹細胞、成体幹細胞、人工多能性幹細胞、上皮細胞、内皮細胞、間葉系細胞、筋細胞、線維芽細胞、軟骨細胞、脂肪細胞、または骨細胞である、請求項２１に記載のドレッシング。
【請求項２３】
哺乳類細胞がヒト細胞である、請求項２１に記載のドレッシング。
【請求項２４】
請求項１に記載の組織ドレッシングを調製するためのキットであって、第１容器内のガス発生ポロゲン混合物、および第２容器内のゲルもしくはゲル形成溶液またはゲルもしくはゲル形成溶液のための無水成分を含んでなるキット。
【請求項２５】
ポロゲンが酸および炭酸塩の混合物である、請求項２４に記載のキット。
【請求項２６】
酸がクエン酸である、請求項２５に記載のキット。
【請求項２７】
炭酸塩が炭酸水素アンモニウム、炭酸水素ナトリウム、または炭酸カルシウムである、請求項２５に記載のキット。
【請求項２８】
ゲルまたはゲル形成溶液が、Ｐｌｕｒｏｎｉｃ（登録商標）Ｆ１２７、ポリアクリル酸塩、ポロクサマー、ポリエチレングリコール、キトサン、コラーゲン、ゼラチン、ヒアルロン酸、またはそれらの組み合わせを含んでなる、請求項２４に記載のキット。
【請求項２９】
第２容器が、ドレッシングに力学的強度を加える構造をさらに含んでなる、請求項２４に記載のキット。
【請求項３０】
構造がミクロスフェアまたは繊維である、請求項２９に記載のキット。
【請求項３１】
生物活性薬剤をさらに含んでなる、請求項２４に記載のキット。
【請求項３２】
生物活性薬剤が抗生物質である、請求項３１に記載のキット。
【請求項３３】
生物活性薬剤が増殖因子である、請求項３１に記載のキット。
【請求項３４】
哺乳類細胞をさらに含んでなる、請求項２８に記載のキット。
【請求項３５】
組織部位へ減圧組織治療を適用するための減圧送達システムであって、該システムが、
請求項２４に記載のキット、
減圧源、および
減圧送達管を含んでなるマニホールドを含んでなり、
該減圧管が、近位端、遠位端、および管を通して伸長する管腔を含んでなり、該近位端が減圧源と流体連結し、該遠位端がドレッシングと流体連結する、減圧送達システム。
【請求項３６】
マニホールドが、請求項１に記載のドレッシングの組織部位への送達に適した第２の管をさらに含んでなる、請求項３５に記載の減圧送達システム。
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
上面、側面、及び下面を有するフォーム芯部と、
前記上面及び前記側面を覆い、前記下面を実質的に露出したままにさせている外層と、を備えている枕組立体。
【請求項２】
前記フォーム芯部は、前記外層よりも高い硬さを有している、請求項１に記載の枕組立体。
【請求項３】
前記フォーム芯部は、前記外層よりも高い密度を有している、請求項１に記載の枕組立体。
【請求項４】
前記フォーム芯部は、粘弾性フォームを備えている、請求項１に記載の枕組立体。
【請求項５】
前記フォーム芯部は、網目状フォームを備えている、請求項１に記載の枕組立体。
【請求項６】
前記外層は、前記上面に亘って実質的に不変の厚さを有している、請求項１に記載の枕組立体。
【請求項７】
前記外層は、粘弾性フォームを備えている、請求項１に記載の枕組立体。
【請求項８】
前記外層は、網目状フォームを備えている、請求項１に記載の枕組立体。
【請求項９】
前記外層は、前記フォーム芯部の過半部分を覆っている、請求項１に記載の枕組立体。
【請求項１０】
前記フォーム芯部の側面は、前側側面と後側側面を有し、当該前側側面と後側側面は前記外層に覆われ、前記フォーム芯部の左側と右側の側面は露出している、請求項１に記載の枕組立体。
【請求項１１】
上面、第１側面、第２側面、及び下面を有するフォーム芯部と、
前記上面及び前記第１側面を覆い、前記上面に亘って実質的に不変の厚さを有している外層と、を備えている枕組立体。
【請求項１２】
前記フォーム芯部は、前記外層よりも高い硬さを有している、請求項１１に記載の枕組立体。
【請求項１３】
前記フォーム芯部は、前記外層よりも高い密度を有している、請求項１１に記載の枕組立体。
【請求項１４】
前記フォーム芯部は、粘弾性フォームを備えている、請求項１１に記載の枕組立体。
【請求項１５】
前記フォーム芯部は、網目状フォームを備えている、請求項１１に記載の枕組立体。
【請求項１６】
前記外層は、前記上面に亘って実質的に不変の厚さを有している、請求項１１に記載の枕組立体。
【請求項１７】
前記外層は、粘弾性フォームを備えている、請求項１１に記載の枕組立体。
【請求項１８】
前記外層は、網目状フォームを備えている、請求項１１に記載の枕組立体。
【請求項１９】
更に、第３側面及び第４側面を含んでおり、前記第３側面は外層によって覆われ、前記第２側面及び前記第４側面は露出している、請求項１１に記載の枕組立体。
【請求項２０】
前記外層は、前記フォーム芯部の過半部分を覆っている、請求項１１に記載の枕組立体。